(57)【要約】【課題】収納容積の小さな混合容器を収納容積の大きな混合容器内に簡易に取付けることを可能とする。【解決手段】電動機と駆動可能に連結されて所定の角度範囲で揺動する揺動台と、電動機と駆動可能に連結されて前記揺動台上に回転可能に取付けた回転車輪と、前記揺動台上に回転車輪を介して回転自在に乗載されて攪拌・混合を行う粉体原料を収容する有底筒状の混合容器とを備えた混合装置において、前記混合容器内には、該混合容器よりも収納容積の小さな有底筒状の小容器を、前記混合容器の開口部に取付けられる蓋体に支持手段を介して片持ち支持させた状態で、挿脱自在に収容可能としたことを特徴とする。【選択図】        図４
2004344828.tif 000002
【特許請求の範囲】
【請求項１】
電動機と駆動可能に連結されて所定の角度範囲で揺動する揺動台と、電動機と駆動可能に連結されて前記揺動台上に回転可能に取付けた回転車輪と、前記揺動台上に回転車輪を介して回転自在に乗載されて攪拌・混合を行う粉体原料を収容する有底筒状の混合容器とを備えた混合装置において、前記混合容器内には、該混合容器よりも収納容積の小さな有底筒状の小容器を、前記混合容器の開口部に取付けられる蓋体に支持手段を介して片持ち支持させた状態で、挿脱自在に収容可能としたことを特徴とする混合装置。
【請求項２】
前記支持手段は、小容器の開口部側が着脱自在に取付けられる凹形状の取付体と、前記取付体の底部と混合容器の蓋体との間に介挿される円筒状のスペーサと、前記蓋体中央に形成した貫通筒に嵌着される中空状のブッシュと、前記取付体，スペーサ，ブッシュを蓋体に対して一体的に固定するボルト及びナットとを備えて構成したことを特徴とする請求項１記載の混合装置。
【請求項３】
前記取付体の内周面及び小容器の開口部外周面にはそれぞれねじ部を形成し、前記ねじ部同士を螺合することにより、小容器を取付体に対して着脱自在に取付けるように構成したことを特徴とする請求項２記載の混合装置。
【請求項４】
前記混合容器は、小容器と取付体との螺合が解除されない方向に回転させるように構成したことを特徴とする請求項２または３記載の混合装置。
【請求項５】
前記取付体の開口端縁及び小容器の開口端縁にはそれぞれフランジを形成し、前記フランジ同士を固定リング等を用いて固定することにより、小容器を取付体に対して着脱自在に取付けるように構成したことを特徴とする請求項２記載の混合装置。
【請求項６】
前記小容器内には、粉体原料を小容器の周方向に掻上げるための羽根部材を配設するように構成したことを特徴とする請求項１ないし５記載の混合装置。
【請求項７】
前記支持手段には、小容器を混合容器の蓋体に片持ち支持させたときに、前記小容器が蓋体の中心に対して偏心状態となるのを防ぐための偏心防止部材を備えて構成したことを特徴とする請求項１ないし６記載の混合装置。
【請求項８】
前記ブッシュには、混合容器の蓋体中央に形成した貫通筒から突出する側の端部に、前記貫通筒の端面と当接する鍔部を形成したことを特徴とする請求項２記載の混合装置。
【請求項９】
前記混合容器及び小容器は、内部を透かし見ることができるような材質により形成したことを特徴とする請求項１ないし７記載の混合装置。
【請求項１０】
前記混合容器と、該混合容器内に収容される小容器との間に形成される空隙に、冷却媒体等を封入するように構成したことを特徴とする請求項１ないし９記載の混合装置。
【請求項１１】
前記混合容器の底部と、該混合容器内に収容される小容器の底部との間に、弾性体等からなるクッション部材を介在させるように構成したことを特徴とする請求項１ないし１０記載の混合装置。
【発明の詳細な説明】
【０００１】
【発明の属する技術分野】
本発明は、収納容積の異なる混合容器を使用して、複数種類の粉体原料を攪拌・混合することが可能な混合装置に関する。
【０００２】
【従来の技術】
従来、収納容積の異なる混合容器に収容した複数種類の粉体原料を攪拌・混合する場合、前記混合容器の大きさ（収納容積）に合せて複数台の混合装置を必要としていた。このため、近年では、収納容積の大きな混合容器内に前記混合容器よりも収納容積の小さな混合容器を収容してボルト等を用いて固定し、この後、前記収納容積の小さな混合容器に混合を行う少量の粉体原料を収容するとともに、前記各混合容器の開口部を蓋体により閉鎖した状態で、前記各混合容器を一体的に回転・揺動させることにより、前記収納容積の小さな混合容器内に収容した粉体原料の攪拌・混合を行うようにした混合装置が開発されている（例えば、特許文献１参照）。
【０００３】
【特許文献１】
特開平８−１３１８０６号公報（図１１，１２）
【０００４】
【発明が解決しようとする課題】
然るに、前記構成の混合装置においては、収納容積の小さな混合容器を収納容積の大きな混合容器内に取付ける場合、その取付作業は収納容積の大きな混合容器と、その内部に収容した収納容積の小さな混合容器との間に形成される狭隘な空間を利用して手作業で行わなければならないため作業効率が非常に悪く、手間と時間を要するという問題があった。
【０００５】
また、前記混合容器は、一般にステンレス鋼等を成形・加工することにより形成されているため、収納容積の大きな混合容器内に取付けた収納容積の小さな混合容器の内部に収容された粉体原料の混合状況等を外部から目視で確認することは困難であり、前記粉体原料の混合状況等を把握するには、例えば、一定時間毎に混合装置を停止して各混合容器から蓋体を取外し、収納容積の小さな混合容器内に収容した粉体原料をサンプリングする等しなければならなかったため、非常に面倒であった。
【０００６】
本発明は、前記種々の問題点に鑑み、収納容積の小さな混合容器を収納容積の大きな混合容器内に簡易に取付けることが可能で、しかも、前記収納容積の小さな混合容器内に収容した粉体原料の混合状況を、外部から目視にて確認することが可能な混合装置を提供することを目的とする。
【０００７】
【課題を解決するための手段】
本発明は、前記課題を解決するために、電動機と駆動可能に連結されて所定の角度範囲で揺動する揺動台と、電動機と駆動可能に連結されて前記揺動台上に回転可能に取付けた回転車輪と、前記揺動台上に回転車輪を介して回転自在に乗載されて攪拌・混合を行う粉体原料を収容する有底筒状の混合容器とを備えた混合装置において、前記混合容器内には、該混合容器よりも収納容積の小さな有底筒状の小容器を、前記混合容器の開口部に取付けられる蓋体に支持手段を介して片持ち支持させた状態で、挿脱自在に収容可能としたことを特徴とする。
【０００８】
請求項２記載の発明は、請求項１記載の混合装置において、前記支持手段は、小容器の開口部側が着脱自在に取付けられる凹形状の取付体と、前記取付体の底部と混合容器の蓋体との間に介挿される円筒状のスペーサと、前記蓋体中央に形成した貫通筒に嵌着される中空状のブッシュと、前記取付体，スペーサ，ブッシュを蓋体に対して一体的に固定するボルト及びナットとを備えて構成したことを特徴とする。
【０００９】
請求項３記載の発明は、請求項２記載の混合装置において、前記取付体の内周面及び小容器の開口部外周面にはそれぞれねじ部を形成し、前記ねじ部同士を螺合することにより、小容器を取付体に対して着脱自在に取付けるように構成したことを特徴とする。
【００１０】
請求項４記載の発明は、請求項２または３記載の混合装置において、前記混合容器は、小容器と取付体との螺合が解除されない方向に回転させるように構成したことを特徴とする。
【００１１】
請求項５記載の発明は、請求項２記載の混合装置において、前記取付体の開口端縁及び小容器の開口端縁にはそれぞれフランジを形成し、前記フランジ同士を固定リング等を用いて固定することにより、小容器を取付体に対して着脱自在に取付けるように構成したことを特徴とする。
【００１２】
請求項６記載の発明は、請求項１ないし５記載の混合装置において、前記小容器内には、粉体原料を小容器の周方向に掻上げるための羽根部材を配設するように構成したことを特徴とする。
【００１３】
請求項７記載の発明は、請求項１ないし６記載の混合装置において、前記支持手段には、小容器を混合容器の蓋体に片持ち支持させたときに、前記小容器が蓋体の中心に対して偏心状態となるのを防ぐための偏心防止部材を備えて構成したことを特徴とする。
【００１４】
請求項８記載の発明は、請求項２記載の混合装置において、前記ブッシュには、混合容器の蓋体中央に形成した貫通筒から突出する側の端部に、前記貫通筒の端面と当接する鍔部を形成したことを特徴とする。
【００１５】
請求項９記載の発明は、請求項１ないし７記載の混合装置において、前記混合容器及び小容器は、内部を透かし見ることができるような材質により形成したことを特徴とする。
【００１６】
請求項１０記載の発明は、請求項１ないし９記載の混合装置において、前記混合容器と、該混合容器内に収容される小容器との間に形成される空隙に、冷却媒体等を封入するように構成したことを特徴とする。
【００１７】
請求項１１記載の発明は、請求項１ないし１０記載の混合装置において、前記混合容器の底部と、該混合容器内に収容される小容器の底部との間に、弾性体等からなるクッション部材を介在させるように構成したことを特徴とする。
【００１８】
本発明は、混合容器よりも収納容積の小さな小容器を、前記混合容器の開口部に被着される蓋体に支持手段を介して片持ち支持させるようにしたので、前記小容器は、混合容器の外部において蓋体に予め片持ち支持させておくことにより、前記蓋体を混合容器の開口部に被着する動作に伴い、前記混合容器内に簡易に収容することができる。また、前記小容器は、支持手段を構成する取付体に螺合したり、あるいは、固定リング等を用いて固定したりすることにより、前記取付体に対して着脱自在に取付けるようにしたので、前記蓋体に対する小容器の着脱を簡易に行うことができるとともに、前記小容器への粉体原料の投入や、小容器からの粉体原料の排出を迅速・容易に行うことが可能となる。更に、前記混合容器及び小容器は、内部を透かし見ることができるような材質により形成するようにしたので、前記混合容器内や、該混合容器に収容した小容器内の粉体原料の混合状況等は、外部から目視することで迅速・容易に確認・把握することができる。
【００１９】
【発明の実施の形態】
以下、本発明の実施の形態を、図１ないし図７を参照しながら説明する。はじめに、図１は本発明の混合装置を示す正面図、図２は本発明の混合装置を示す側面図である。図１，２において、１は本発明の混合装置を示し、前記混合装置１は、山形鋼等の鋼材を枠組みして形成した機枠２と、前記機枠２に所定の角度範囲で揺動可能に支承される揺動台３と、前記揺動台３に回転自在に取付けられる回転車輪４と、内部に攪拌・混合を行う粉体原料を収容して、前記揺動台３上に回転車輪４を介して回転自在に乗載される混合容器５（例えば、収納容積１０Ｌ）とを備えて概略構成されている。なお、前記揺動台３及び回転車輪４は、それぞれ図示しない揺動用及び回転用の電動機と駆動可能に連結することにより、揺動及び回転させることができるように構成されている。また、図１，２において、９は混合容器５の外周を囲繞するように配設され、前記混合容器５が振動等によって回転車輪４から浮き上がるのを防ぐための浮上防止部材である。
【００２０】
次に、図３は混合容器５の縦断側面図である。図３で示すように、前記混合容器５は、その一方端側（図３の左側）に開口部５ａを開口して有底筒状に形成されており、また、前記混合容器５の内周面には、該混合容器５内に収容した粉体原料を周方向に掻上げるための羽根部材５ｂが、周方向の複数個所（図３においては２ヶ所）に形成されている。なお、前記混合容器５は、例えば、ガラス等のように内部を透かし見ることができるような材質により形成されている。また、図３において、５ｃは混合容器５の長さ方向（図３の左右方向）に所定間隔を設けた状態で、前記混合容器５の外周面に取付帯５ｄを介して取付けた一対の係止部材であり、前記係止部材５ｃは、その外側面を揺動台３に回転自在に取付けた回転車輪４（図１参照）と当接させることにより、前記揺動台３の揺動時に、該揺動台３上から混合容器４が滑落するのを防いでいる。
【００２１】
図３において、６は前記混合容器５の開口部５ａを開閉自在に閉鎖する蓋体であり、前記蓋体６は、混合容器５の開口部５ａとの間にパッキン６ａを介在させた状態で、例えば、固定部材７を用いて前記開口部５ａに着脱自在に固定される。なお、前記蓋体６の中心部には、貫通筒６ｂが一体的に形成されており、前記貫通筒６ｂには、通常ゴム等からなる封止栓８が嵌着されている。また、前記蓋体６は、混合容器５と同様に、ガラス等のように混合容器５内部を透かし見ることができるような材質により形成されている。
【００２２】
次に、図４は混合容器５内に、該混合容器５よりも収納容積の小さな小容器（例えば、収納容積３Ｌ）を収容した状態を示す縦断側面図である。図４において、１１は前記混合容器５よりも収納容積の小さな有底筒状の小容器であり、前記小容器１１は、混合容器５の開口部５ａに取付けられる蓋体６に支持手段１２を介して片持ち支持させた状態で、前記混合容器５内に挿脱自在に収容することにより、該小容器１１内に収容した複数種類の粉体原料を、混合容器５が乗載される混合装置１を使用して攪拌・混合することが可能となる。なお、前記小容器１１は、例えば、塩化ビニール等のように比較的軽量で、しかも、内部を透かし見ることができるような材質により形成されている。
【００２３】
つづいて、図５は小容器１１と支持手段１２とを分解して示す縦断側面図である。図５で示すように、前記小容器１１の一方端側（図５の左側）には開口部１１ａが開口されており、また、前記開口部１１ａの外周面にはねじ部１１ｂが螺設されている。一方、前記小容器１１を蓋体６に対して片持ち支持させるための支持手段１２は、図５で示すように、小容器１１が着脱自在に取付けられる凹形状の取付体１３と、前記取付体１３と蓋体６との間に介在される円筒状のスペーサ１４と、前記蓋体６の貫通筒６ｂに着脱自在に嵌着されるゴム等からなる中空状のブッシュ１５と、前記取付体１３，スペーサ１４，ブッシュ１５を蓋体６に対して一体的に固定するためのボルト１６及びナット１７とを備えて概略構成されている。
【００２４】
なお、前記取付体１３は、例えば、小容器１１と同様に、塩化ビニール等のように比較的弾力性に富む材質により形成されている。また、前記取付体１３の内周面には、図５で示すように、小容器１１の開口部１１ａ外周面に螺設したねじ部１１ｂと螺合するねじ部１３ａが螺設されており、前記ねじ部１１ｂ，１３ａ同士を螺合することにより、前記小容器１１は、取付体１３に対して着脱自在に取付けることができる。更に、図５において、１３ｂは前記取付体１３の内側底面と薄板状の押え板１３ｃとの間に挟持されて、前記小容器１１の開口部１１ａを封止するパッキンである。
【００２５】
また、前記スペーサ１４は、ステンレス鋼等の金属により形成されており、図５で示すように、その内周面の所定位置（図５においては取付体１３と近接する位置）には、取付体１３が蓋体６の中心に対して偏心状態となるのを防ぐための板状の偏心防止部材１４ａが配設されている。更に、前記ブッシュ１５には、図５で示すように、蓋体６に形成した貫通筒６ｂから突出する側の端部（図５の左側）に、前記貫通筒６ｂの端面（図５の左側）と当接する鍔部１５ａが一体的に形成されている。
【００２６】
次に、前記支持手段１２を蓋体６に組付ける場合について説明する。はじめに、図６で示すように、パッキン１３ｂを取付体１３の内側底面と押え板１３ｃとの間に挟持した状態で、ボルト１６を押え板１３ｃ→パッキン１３ｂ→取付体１３底面の順に挿通するとともに、前記取付体１３の底面から突出するボルト１６の先端側を、スペーサ１４の内周面に配設した偏心防止部材１４ａに挿通して、前記スペーサ１４の一方端側（図６の右側）を取付体１３の底面に当接させる。つづいて、蓋体６の貫通筒６ｂに嵌着したブッシュ１５に、偏心防止部材１４ａを貫通してスペーサ１４から突出するボルト１６の先端側を挿通して、図５で示すように、前記スペーサ１４の他方端側（図５の左側）を蓋体６に当接させるとともに、前記ブッシュ１５を貫通して突設するボルト１６の先端部にナット１７を、ブッシュ１５の鍔部１５ａ端面との間に平座金１７ａを介在させた状態で螺着することにより、図５で示すように、前記取付体１３，スペーサ１４及びブッシュ１５を蓋体６に対して一体的に固定する（組付ける）。
【００２７】
なお、このとき、前記取付体１３は、塩化ビニール等のように比較的弾力性に富む材質により形成されているため、蓋体６と取付体１３との間に円筒状のスペーサ１４を介在させた状態で、前記取付体１３，スペーサ１４及びブッシュ１５を貫通して突出するボルト１６の先端部にナット１７を螺着することにより、前記取付体１３の底面は、押え板１３ｃを介してボルト１６により蓋体６側（スペーサ１４の内側方向）に付勢される結果、前記取付体１３はボルト１６と共回りすることなく、蓋体６に対して強固に固定することが可能となる。
【００２８】
また、前記ボルト１６を、スペーサ１４の内周面に配設した偏心防止部材１４ａ及び蓋体６の貫通筒６ｂに嵌着したブッシュ１５に挿通することにより、ボルト１６と蓋体６との中心が一致するので、前記ボルト１６を用いて取付体１３を固定したときに、前記取付体１３が蓋体６の中心に対して偏心状態となるのを良好に防ぐことが可能となる。
【００２９】
更に、前記ボルト１６にナット１７を螺着する際、前記ナット１７と蓋体６の貫通筒６ｂとの間には、ゴム等からなるブッシュ１５の鍔部１５ａが介在されているので、前記ナット１７をボルト１６に螺着した際の締付力によって、蓋体６（貫通筒６ｂ）が破損等するのを良好に防ぐことができる。
【００３０】
次に、本発明の動作について説明する。はじめに、混合容器５を使用して粉体原料の攪拌・混合を行う場合は、例えば、混合装置１に具備した揺動用の電動機（図示せず）を起動して、混合容器５を図２においてその開口部５ａ側（図２の左側）が所定角度上向きとなるように傾斜させ、この状態で、図３において前記混合容器５の開口部５ａに取付けられている蓋体６を、固定部材７による固定を解除して取外し、前記開口部５ａを開放する。つづいて、前記開口部５ａから攪拌・混合を行う複数種類の粉体原料を混合容器５内に投入（収容）するとともに、前記粉体原料の投入が終了したら、図３で示すように、混合容器５の開口部５ａに再度蓋体６を、固定部材７を用いて固定することにより取付ける。
【００３１】
なお、前記混合容器５の開口部５ａと蓋体６との間には、パッキン６ａが介在させてあるので、前記開口部５ａと蓋体６との接合部分から粉体原料が混合容器５の外部に漏出するようなことはない。また、蓋体６に形成した貫通筒６ｂは、通常ゴム等からなる封止栓８を嵌着することにより封止されているので、前記貫通筒６ｂから粉体原料が混合容器５の外部に漏出するようなことはない。
【００３２】
前記のように、混合容器５内に粉体原料を収容したら、混合装置１に具備した回転用の電動機（図示せず）を起動して、前記混合容器５を所定方向に回転させるとともに、揺動用の電動機（図示せず）を起動して、前記混合容器５をシーソーの如く揺動させる。これにより、前記混合容器５内に収容した粉体原料は、該混合容器５の内周面に形成した羽根部材５ｂによって周方向に掻上げられるとともに、混合容器５の長さ方向に沿って往復移動する結果、良好に攪拌・混合が行われる。
【００３３】
なお、前記混合容器５は、ガラス等のように内部を透かし見ることができるような材質により形成されているので、混合容器５内に収容した粉体原料の混合状況等を目視によって確認しながら、円滑・良好に粉体原料の攪拌・混合を行うことができる。また、前記混合容器５は、その外周面に取付帯５ｄを介して取付けた一対の係止部材５ｃが回転車輪４と当接しているとともに、浮上防止部材９によって回転車輪４から浮き上がるのを防止されていることにより、揺動用の電動機（図示せず）を起動して揺動台３を揺動させても、前記揺動台３上から滑落するようなことな全くない。
【００３４】
そして、所定時間が経過したら、図示しない回転用及び揺動用の各電動機を停止して、粉体原料の攪拌・混合を終了する。攪拌・混合の終了した粉体原料を排出する場合は、図３において混合容器５の開口部５ａから蓋体６を取外し、この後、揺動用の電動機（図示せず）を起動して、前記混合容器５を図２においてその開口部５ａ側（図２の左側）が所定角度下向きとなるように傾斜させるとともに、回転用の電動機（図示せず）を起動して、前記混合容器５を所定方向に回転させることにより、粉体原料を混合容器５内から羽根部材５ｂによって掻出しながら図示しない排出容器に排出する。粉体原料の排出が終了したら、回転用の電動機（図示せず）を停止するとともに、揺動用の電動機（図示せず）を起動して前記混合容器５を、例えば、その開口部５ａ側が所定角度下向きとなっている状態から図２で示す水平な状態として、次回の攪拌・混合に備える。以後、混合容器５を使用して粉体原料を攪拌・混合する場合は、前記の動作を繰り返せばよい。
【００３５】
次に、混合容器５よりも収納容積の小さな小容器１１を使用して、複数種類の粉体原料の攪拌・混合を行う場合について説明する。図８で示すように、混合容器５が乗載される混合装置１を使用して、小容器１１内に収容した粉体原料を攪拌・混合する場合には、前記小容器１１を混合容器５内に取付ける（収容する）作業が必要であるが、本発明においては、小容器１１を混合容器５の開口部５ａに取付けられる蓋体６に、支持手段１２を介して予め片持ち支持させておくことにより、前記小容器１１を蓋体６の開口部５ａへの取付け動作に伴って混合容器５内に簡易に収容できるようにした。
【００３６】
即ち、小容器１１を混合容器５内に収容する場合は、はじめに、蓋体６に予め組付けた支持手段１２（支持手段１２の蓋体６への組付け動作については段落番号［００２６］を参照）の取付体１３に、攪拌・混合を行う複数種類の少量の粉体原料を収容した小容器１１を、前記取付体１３の内周面及び小容器１１の開口部１１ａ外周面にそれぞれ螺設したねじ部１３ａ，１１ｂ同士を螺合することにより着脱自在に取付けて、図７で示すように、前記蓋体６に片持ち支持させる。つづいて、前記蓋体６に支持手段１２を介して片持ち支持された小容器１１を、図４において混合容器５の開口部５ａから内部に挿入し、この状態で、前記蓋体６を開口部５ａに固定部材７を用いて固定することにより、図４で示すように、前記小容器１１を混合容器５内に該混合容器５と共動回転可能に収容する。これにより、前記小容器１１は、図８で示すように、混合容器５内に収容した状態で混合装置１に乗載され、粉体原料の攪拌・混合に供することが可能となる。
【００３７】
前記のように、本発明においては、予め小容器１１を混合容器５の外部において蓋体６に支持手段１２を介して片持ち支持させた状態で、前記蓋体６を混合容器５の開口部５ａに取付けることにより、前記小容器１１は混合容器５内に略１動作で収容することが可能となり、この結果、小容器１１の混合容器５内への収容作業は人手を煩わせることなく、迅速・容易に行うことができる。
【００３８】
また、前記小容器１１は、支持手段１２を構成する取付体１３に、ねじ部１１ｂ，１３ａ同士を螺合することにより着脱自在に取付けることができるので、小容器１１を蓋体６に対して簡易に片持ち支持させることが可能となり、大変利便である。
【００３９】
そして、前記のように、複数種類の少量の粉体原料を収容した小容器１１を、混合容器５内に収容したら、混合装置１に具備した回転用の電動機（図示せず）を起動して、混合容器５を所定方向に回転させるとともに、揺動用の電動機（図示せず）を起動して、前記混合容器５をシーソーの如く揺動させることにより、前記混合容器５内に収容した小容器１１を、該混合容器５と一体的に回転・揺動させる。この結果、前記小容器１１内に収容した粉体原料は、周方向への掻上げ動作と長さ方向への往復動作とによって、良好に攪拌・混合が行われる。
【００４０】
なお、このとき、混合容器５の回転方向は、支持手段１２の取付体１３と小容器１１とのねじ部１１ｂ，１３ａ同士の螺合が解除されない方向とするのが望ましい。このようにすれば、前記混合容器５の回転に伴って取付体１３と小容器１１との螺合が解除され、前記小容器１１が取付体１３から脱落する等して、粉体原料の攪拌・混合が行えなくなる等という問題の発生を確実に防ぐことができる。
【００４１】
また、例えば、小容器１１の内周面に複数の羽根部材を突設したり、支持手段１２の取付体１３の内側底面との間でパッキン１３ｂを挟持している薄板状の押え板１３ｃから、小容器１１の底部側に向けて複数の羽根部材を突設したりするようにしてもよい。この場合、前記羽根部材によって粉体原料が小容器１１の周方向へ良好に掻上げられる結果、前記粉体原料の攪拌・混合をより一層迅速・良好に行うことが可能となる。
【００４２】
更に、前記混合容器５及び小容器１１は、それぞれガラスや塩化ビニール等、内部を透かし見ることができるような材質により形成されているので、前記小容器１１を混合容器５内に収容した状態であっても、小容器１１内の粉体原料の混合状況等を外部から良好に目視により確認しながら、粉体原料の攪拌・混合を行うことが可能となり、大変利便である。
【００４３】
また、前記小容器１１は、スペーサ１４内周面に配設した偏心防止手段１４ａと、蓋体６の貫通筒６ｂに嵌着したブッシュ１５とによって、前記蓋体６の中心に対して偏心状態となるのを防ぐようにしてあるので、前記小容器１１が蓋体６の中心に対して偏心状態で片持ち支持されることによって、混合容器５の回転に悪影響を及ぼすのを未然に防ぐことができる。
【００４４】
更に、支持手段１２を構成する取付体１３は、ボルト１６及びナット１７により、スペーサ１４，ブッシュ１５とともに蓋体６に対して一体的に固定されているので、前記取付体１３は、その弾力性（ばね作用）と、ボルト１６にナット１７を螺着することによる締付力とを利用して、スペーサ１４を介して蓋体６側に強固に押圧・付勢した状態で固定することができるので、粉体原料を収容した小容器１１を、支持手段１２を介して蓋体６に片持ち支持させた状態で揺動させても、ガタツキ等が生じるのを良好に防ぐことが可能となり、この結果、混合容器５の揺動に悪影響を及ぼすのを未然に防ぐことができる。
【００４５】
つづいて、所定時間が経過したら、図示しない回転用及び揺動用の各電動機を停止して、粉体原料の攪拌・混合を終了する。攪拌・混合の終了した粉体原料を小容器１１内から排出する場合は、はじめに、混合容器５の開口部５ａに取付けられている蓋体６を、図４において固定部材７による固定を解除して前記開口部５ａから取外すことにより、前記蓋体６に支持手段１２を介して片持ち支持されている小容器１１を混合容器５内から取出す。つづいて、図５で示すように、前記支持手段１２を構成する取付体１３内周面に螺設したねじ部１３ａと、小容器１１の開口部１１ａ外周面に螺設したねじ部１１ｂとの螺合を解除することにより、前記小容器１１を取付体１３から取外し、前記小容器１１の開口部１１ａから粉体原料を図示しない排出容器に排出する。以後、小容器１１を使用して粉体原料の攪拌・混合を行う場合は、前記の動作を繰り返せばよい。
【００４６】
前記のように、小容器１１は、粉体原料を排出するに当たり混合容器５内から取出す場合も、蓋体６を混合容器５の開口部５ａから取外すことにより、容易に混合容器５内から取出すことができるとともに、支持手段１２の取付体１３とも簡易に分解する（取外す）ことができるので、粉体原料の排出を円滑・良好に行うことが可能となる。
【００４７】
次に、小容器１１を使用した粉体原料の攪拌・混合が終了した後、前記小容器１１を蓋体６に対して片持ち支持させるための支持手段１２を、前記蓋体６から取外す（分解する）場合は、図６で示すように、前記支持手段１２を構成する取付体１３，スペーサ１４及びブッシュ１５を蓋体６に対して一体に固定しているボルト１６とナット１７との螺着を解除するとともに、前記ボルト１６を取付体１３及びスペーサ１４に挿通したままの状態でブッシュ１５のみから抜取ることにより、支持手段１２は蓋体６から簡易に取外す（分解する）ことができる。
【００４８】
前記のように、小容器１１を蓋体６に対して片持ち支持させるための支持手段１２は、ボルト１６とナット１７との螺着を解除することにより、簡易に蓋体６から取外すことができるので、前記小容器１１を使用して粉体原料の攪拌・混合を行わないときには、前記支持手段１２を予め蓋体６から取外しておくことにより、混合容器５を使用して粉体原料の攪拌・混合を行う際に、前記支持手段１２の存在によって攪拌・混合動作が妨げられるのを未然に防ぐことが可能となる。また、前記蓋体６は、貫通筒６ｂに嵌着される封止栓８とブッシュ１５とを交換することにより、混合容器５を使用して粉体原料を攪拌・混合する場合と、小容器１１を使用して粉体原料を攪拌・混合する場合とに共用することができるので、蓋体６を複数必要とすることは全くなく、この結果、前記蓋体６の保管スペースを確保したり、部品点数が増加したりするのを良好に防ぐことが可能となる。
【００４９】
なお、本発明の実施例において、支持手段１２の取付体１３と小容器１１とは、それぞれに螺設したねじ部１１ｂ，１３ａ同士を螺合したり、螺合を解除したりすることにより着脱するようにしているが、これに限定することなく、例えば、取付体の開口端縁及び小容器の開口端縁にそれぞれフランジを形成し、前記フランジ同士を固定リング等を用いて固定することにより、小容器を取付体に対して着脱自在に取付けるようにしてもよい。
【００５０】
また、本発明の実施例においては、小容器１１を蓋体６に対して支持手段１２を介して片持ち支持させているが、例えば、小容器１１内に収容される粉体原料の比重が比較的大きな場合には、前記小容器１１の底部と混合容器５の底部との間に、弾性体等からなるクッション部材を介在させることにより、蓋体６側だけでなく混合容器５の底面側においても小容器１１を支持するようにしてもよい。
【００５１】
更に、本発明においては、混合容器５と、前記混合容器５内に収容される小容器１１との間に形成される空隙に、例えば、冷却媒体等を封入するようにしてもよく、これにより、小容器１１内に収容される粉体原料が熱による悪影響を受け易い場合でも、これを良好に冷却しながら攪拌・混合を行うことが可能となり、大変利便である。
【００５２】
また、本発明においては、支持手段１２を構成する取付体１３及びスペーサ１４の大きさ，使用数等を変更することにより、本実施例中において説明した小容器１１よりも更に収納容積の小さな小容器を使用して、粉体原料の攪拌・混合を行うことが可能である。
【００５３】
【発明の効果】
請求項１記載の発明によれば、混合容器よりも収納容積の小さな小容器を、前記混合容器の開口部に取付けられる蓋体に支持手段を介して片持ち支持させた状態で、混合容器内に挿脱自在に収容可能としたので、前記小容器は、予め混合容器の外部において蓋体に片持ち支持させておくことにより、前記蓋体を混合容器の開口部に取付ける際に、簡易に混合容器内に収容することができるため、前記小容器の混合容器内への取付け作業を迅速・容易に行うことが可能となる。
【００５４】
請求項２記載の発明によれば、小容器を蓋体に片持ち支持させるための支持手段は、小容器の開口部側が着脱自在に取付けられる凹形状の取付体と、前記取付体と混合容器の蓋体との間に介挿される円筒状のスペーサと、前記蓋体に形成した貫通筒に着脱自在に嵌着される中空状のブッシュと、前記取付体，スペーサ，ブッシュを蓋体に対して一体的に固定するボルト及びナットとを備えて構成したので、前記支持手段は、小容器を使用して粉体原料の攪拌・混合を行う時を除いては、前記ボルトとナットとの螺合を解除することにより簡単に蓋体から取外す（分解する）ことができるため、混合容器を使用して粉体原料を攪拌・混合する際に、前記支持手段の存在によって攪拌・混合動作が阻害されるようなことは全くなく、その上、混合容器の使用時と小容器の使用時に別々の蓋体を使用する必要がないため、部品点数の増大を良好に防ぐことが可能となる。
【００５５】
請求項３記載の発明によれば、小容器の開口部外周面及び取付体の内周面にそれぞれねじ部を螺設し、前記ねじ部同士を螺合することにより、小容器を取付体に対して着脱自在に取付けるようにしたので、前記小容器は取付体に対して特別な固定部材を用いることなく簡易に取付けることが可能となり、この結果、小容器を混合容器内に取付ける（収容する）際に使用する部品点数を良好に低減することができる。
【００５６】
請求項４記載の発明によれば、混合容器の回転方向を、小容器と取付体との螺合が解除されない方向としたので、前記混合容器の回転に伴って小容器と取付体との螺合が解除され、前記小容器が取付体から脱落する等して、粉体原料の攪拌・混合が行えなくなる等という問題の発生を確実に防ぐことが可能となる。
【００５７】
請求項５記載の発明によれば、小容器の開口端側及び取付体の開口端側にそれぞれフランジを形成し、前記フランジ同士を固定リング等を用いて固定することにより、小容器を取付体に対して着脱自在に取付けるようにしたので、前記小容器は、混合容器の回転方向に関係なく、取付体に対して強固に取付けることが可能となり、利便である。
【００５８】
請求項６記載の発明によれば、小容器内には、粉体原料を前記小容器の周方向に掻上げるための羽根部材を配設するようにしたので、前記羽根部材の存在により、小容器の周方向における粉体原料の掻上げ動作が促進される結果、前記粉体原料の攪拌・混合をより一層迅速・良好に行うことが可能となる。
【００５９】
請求項７記載の発明によれば、支持手段には、小容器が蓋体の中心に対して偏心状態となるのを防ぐための偏心防止部材を配設するようにしたので、前記小容器が蓋体の中心に対して偏心状態で取付けられることによって、混合容器の回転動作に悪影響が及ぶのを良好に防ぐことが可能となる。
【００６０】
請求項８記載の発明によれば、ブッシュには、蓋体に形成した貫通筒から突出する側の端部に、前記貫通筒の端面と当接する鍔部を形成したので、ボルト及びナットを用いて取付体，スペーサ，ブッシュを蓋体に対して一体的に固定する際に、前記ナットと蓋体の貫通筒との間にブッシュの鍔部が介在されることにより、前記ナットによる締付力が直接蓋体に加わって、前記蓋体が破損等するのを確実に防ぐことが可能となる。
【００６１】
請求項９記載の発明によれば、混合容器及び小容器を、内部を透かし見ることができるような材質により形成したので、前記小容器を混合容器内に収容した状態であっても、前記小容器内に収容した粉体原料の混合状況等を、目視により確認しながら攪拌・混合を行うことが可能となり、大変利便である。
【００６２】
請求項１０記載の発明によれば、混合容器と小容器との間に形成される空隙に、冷却媒体等を封入するようにしたので、小容器内に収容した粉体原料が熱による悪影響を受け易い場合でも、これを良好に冷却しながら攪拌・混合することが可能となり、大変利便である。
【００６３】
請求項１１記載の発明によれば、混合容器の底部側と、小容器の底部側との間に弾性体等からなるクッション部材を介在させるようにしたので、前記小容器は混合容器の蓋体側だけでなく、底部側においてもクッション部材により支持することが可能となり、この結果、比較的比重の大きな粉体原料であっても、前記小容器を使用して良好に攪拌・混合を行うことができる。
【図面の簡単な説明】
【図１】本発明の混合装置を示す正面図である。
【図２】本発明の混合装置を示す側面図である。
【図３】混合容器の縦断側面図である。
【図４】混合容器内に小容器を収容した状態を示す縦断側面図である。
【図５】支持手段と小容器とを分解して示す縦断側面図である。
【図６】支持手段を蓋体に組付ける動作を示す縦断側面図である。
【図７】小容器を蓋体に支持手段を介して片持ち支持させた状態を示す縦断側面図である。
【図８】小容器を収容した混合容器を混合装置に乗載した状態を示す側面図である。
【符号の説明】
１  混合装置
５  混合容器
５ａ  開口部
６  蓋体
６ｂ  貫通筒
１１  小容器
１１ａ  開口部
１１ｂ  ねじ部
１２  支持手段
１３  取付体
１３ａ  ねじ部
１４  スペーサ
１４ａ  偏心防止部材
１５  ブッシュ
１５ａ  鍔部
１６  ボルト
１７  ナット
【図１】
2004344828.tif 000003
【図２】
2004344828.tif 000004
【図３】
2004344828.tif 000005
【図４】
2004344828.tif 000006
【図５】
2004344828.tif 000007
【図６】
2004344828.tif 000008
【図７】
2004344828.tif 000009
【図８】
2004344828.tif 000010